(57)【特許請求の範囲】
【請求項１】
ディスクの中央に形成された中央孔に嵌合して突出する嵌合部を有し、待機位置から該ディスクに情報を記録再生するための記録再生位置へ移動するターンテーブルと、
該ターンテーブルに対向し、ディスクを保持するトレイと、
前記嵌合部が嵌入する凹部を有し、前記ターンテーブルとの間でディスクを挟持して共に移動するクランパと
を備え、
磁石が前記ターンテーブル及びクランパのいずれかに配設されており、該クランパが前記ターンテーブルに前記磁石の磁力により吸着され、前記凹部が前記嵌合部に嵌合するディスク装置において、
前記クランパは前記ターンテーブル側に付勢された輪状の押圧体を前記凹部と同心に備えており、
前記押圧体の外周縁には、前記ターンテーブルに向かって突出し、該クランパが前記ターンテーブルに吸着されていない状態で前記ディスクを前記ターンテーブル側へ押圧する複数の突起部が設けられ、
前記クランパは、
該クランパの縁に穿設されており、前記突起部をそれぞれ突出させる複数の孔と、
前記ターンテーブルの反対側に突設されており、前記押圧体に嵌合する嵌合柱と、
該嵌合柱が挿通されており、一端が前記押圧体に圧接し、他端が前記嵌合柱の先端部の側面に突設された係止部に係止されている押しバネと
を有することを特徴とするディスク装置。
【請求項２】
前記トレイは、
開口部を前記クランパ側に有する縦置き姿勢の円盆状の第１保持部と、
該第１保持部と同心に前記ターンテーブル側に前記開口部より小径の中空円柱状に凹設された第２保持部と
を備え、
該第２保持部は前記ターンテーブルに対向する孔を有しており、
前記第１及び第２保持部の各内周面には、ディスクを縦向きに保持する各第１及び第２保持溝が周設されており、
前記突起部は、前記クランパが前記ターンテーブルに吸着されていない状態で、前記押しバネが前記押圧体を押圧することにより前記第２保持溝の周縁まで突出するようになっていることを特徴とする請求項１に記載のディスク装置。
【請求項３】
前記クランパを遊嵌するクランパホルダを備えており、
該クランパホルダは、
前記嵌合部と同心に形成された孔と、
該孔に嵌着されており、溝が内周面に形成されたリングと
を備え、
前記クランパは円皿状をなし、該クランパと同心に輪状の突起を外向きに突設した突起輪が、前記リングに遊嵌していることを特徴とする請求項１又は２に記載のディスク装置。
【発明の詳細な説明】
【技術分野】
【０００１】
本発明は、異径の円盤状の記録媒体を保持するディスク装置に関する。
【背景技術】
【０００２】
従来、ディスク装置は、ターンテーブルに略水平に挿着された光ディスク及び磁気ディスク等のディスクをスピンドルモータで回転させ、ピックアップがディスクに対して半径方向に移動して情報を記録再生している。
【０００３】
ディスクには種々の大きさのものがあり、直径８ｃｍのディスク（以下、「小径ディスク」という）が使用されることもあるが、通常、直径１２ｃｍのディスク（以下、「大径ディスク」という）が多く使用されている。
このようなディスクに対応して、ディスク装置は直径の異なるディスクを駆動可能な兼用型のものが利用されている。さらに近年のディスク装置では、ディスクをトレイに縦向きに保持して占有スペースの低減を図ったものが提供されている（例えば特許文献１参照）。
【０００４】
この種のディスク装置として、ディスクを縦向き姿勢で移送し、ターンテーブルに保持することができるディスク移送装置が提案されている（特許文献２）。
特許文献２に示す例では、ディスクを縦向きに載せて移送するトレイが、凹状の大径ディスク保持部と、大径ディスク保持部に同心に形成して所定量だけ段差を設けた凹状の小径ディスク保持部とを有する。小径又は大径ディスク保持部はそれぞれ小径又は大径ディスクの片面の外周縁部及び周端部に当接してディスクを縦向きに保持している。小径ディスク保持部及び大径ディスク保持部のそれぞれの外周下部に、小径ディスク及び大径ディスクそれぞれの下側の外周縁部を係止し得る爪部がクランパ側に形成されている。磁性体を備えるターンテーブルに対向して、磁石が埋設されたクランパが配設されている。
ターンテーブルは中央に円錐台部を有し、トレイがディスクをターンテーブルとクランパとの間に移送した後、ターンテーブルが待機位置からディスクに情報を記録再生させる記録再生位置に移動していくとき、ターンテーブルの円錐台部がディスクの中央に穿設された中央孔に嵌合してディスクを上方へ持ち上げていき、ターンテーブルのクランパ側への移動に伴いディスクの下側の外周縁部がトレイの爪部を乗り越えて、ターンテーブルがディスクを縦向きに支持する。そして、磁力によりクランパとターンテーブルとがディスクを挟持し、ディスクを回転させてピックアップにより記録再生するようになっている。
【特許文献１】特開２００２−２４５７０１号公報
【特許文献２】特開２００３−２５７１１２号公報
【発明の開示】
【発明が解決しようとする課題】
【０００５】
しかしながら特許文献２で開示されているクランパ機構の場合、ターンテーブルの円錐台部がディスクの中央孔に嵌合していくとき、ディスクの中央孔に完全に嵌合する前に磁力により、ターンテーブルの径方向にディスクがぶれて中央孔の位置が偏芯し、円錐台部がクランパでクランプされる可能性がある。ディスクが偏芯した状態でクランプされた場合、ターンテーブルがディスクを回転させることができず、また回転できる場合でもディスクの面ぶれが極めて大きくなり、情報の記録再生が困難になる場合があり得る。
またアンローディング時に、磁石の吸着力に抗してクランパからターンテーブルを離脱させるとき、ディスクの片面の外周縁部がトレイの小径又は大径ディスク保持部に当接して保持されるようになっているため、荷重がトレイとディスクの接合面に加わり、ディスクが変形するおそれがある。
【０００６】
本発明は、このような事情に鑑みてなされたものであって、その目的とするところは、トレイに縦又は平置きで保持されたディスクを押圧する複数の突起部を有する押圧体をクランパに備えることにより、押圧体がディスクを押圧した状態でターンテーブルの嵌合部をディスクの中央孔に確実に嵌入させることができ、クランパからターンテーブルを離脱させるとき、ディスクに荷重が加わらないディスク装置を提供することにある。
【課題を解決するための手段】
【０００７】
本発明のディスク装置は、ディスクの中央に形成された中央孔に嵌合して突出する嵌合部を有し、待機位置から該ディスクに情報を記録再生するための記録再生位置へ移動するターンテーブルと、該ターンテーブルに対向し、ディスクを保持するトレイと、前記嵌合部が嵌入する凹部を有し、前記ターンテーブルとの間でディスクを挟持して共に移動するクランパとを備え、磁石が前記ターンテーブル及びクランパのいずれかに配設されており、該クランパが前記ターンテーブルに前記磁石の磁力により吸着され、前記凹部が前記嵌合部に嵌合するディスク装置において、前記クランパは前記ターンテーブル側に付勢された輪状の押圧体を前記凹部と同心に備えており、前記押圧体の外周縁には、前記ターンテーブルに向かって突出し、該クランパが前記ターンテーブルに吸着されていない状態で前記ディスクを前記ターンテーブル側へ押圧する複数の突起部が設けられ、前記クランパは、該クランパの縁に穿設されており、前記突起部をそれぞれ突出させる複数の孔と、前記ターンテーブルの反対側に突設されており、前記押圧体に嵌合する嵌合柱と、該嵌合柱が挿通されており、一端が前記押圧体に圧接し、他端が前記嵌合柱の先端部の側面に突設された係止部に係止されている押しバネとを有することを特徴とする。
【０００８】
このような構成の本発明のディスク装置では、トレイがディスクを保持してターンテーブルに対向し、クランパがディスクに対向した場合、クランパがターンテーブルに吸着されていない状態で、押しバネで付勢された輪状の押圧体の複数の突起部がクランパの縁の複数の孔から突き出てディスクを芯出しした状態でターンテーブル側へ分担して押圧する。
ターンテーブルが押しバネの付勢力に抗して待機位置からディスクの記録再生位置へ移動していくとき、ディスクを介して突起部を押すことにより突起部に圧接する押しバネの一端を押し、嵌合柱の係止部が押しバネの他端を係止して押しバネが縮み、押圧体の突起部がディスクをターンテーブル側へ押圧する状態が維持される。突起部がディスクをターンテーブル側へ押圧した状態で、ターンテーブルの嵌合部がディスクの中央孔に嵌入して、ディスクの中央孔のターンテーブル側の周縁面がターンテーブルに当接する。
さらにターンテーブルは、押圧体を付勢する押しバネの付勢力に抗してクランパ側へ移動し、突起部がディスクをターンテーブルに押圧した状態で、ターンテーブルの嵌合部がクランパの凹部に接近したとき、ターンテーブルとクランパとが吸着する距離に達し、磁石の吸着力によりクランパがターンテーブルに吸着され、クランパの凹部がターンテーブルの嵌合部に嵌合する。クランパがターンテーブルとの間でディスクの中央孔の周縁面を挟持してターンテーブルと共に移動し、ターンテーブルがディスクの記録再生位置に達する。
そして、ターンテーブルがディスク及びクランパとともに回転し、ディスクの記録再生をする。
ディスクの記録再生終了後、ターンテーブルの回転が停止して、ターンテーブルがディスクの記録再生位置から待機位置へ移動していく。ターンテーブルが待機位置へ移動していくとき、押しバネの付勢力により、輪状の押圧体の複数の突起部がディスクをターンテーブルに分担して押圧した状態で、ターンテーブル及びクランパがディスクを挟持して移動する。ターンテーブルが磁石の吸着力に抗して待機位置へ向けて移動して、ターンテーブルがクランパから離脱し、嵌合部及び凹部の嵌合が外れる。
【００１１】
本発明のディスク装置は、前記トレイは、開口部を前記クランパ側に有する縦置き姿勢の円盆状の第１保持部と、該第１保持部と同心に前記ターンテーブル側に前記開口部より小径の中空円柱状に凹設された第２保持部とを備え、該第２保持部は前記ターンテーブルに対向する孔を有しており、前記第１及び第２保持部の各内周面には、ディスクを縦向きに保持する各第１及び第２保持溝が周設されており、前記突起部は、前記クランパが前記ターンテーブルに吸着されていない状態で、前記押しバネが前記押圧体を押圧することにより前記第２保持溝の周縁まで突出するようになっていることを特徴とする。
【００１２】
このような構成の本発明のディスク装置では、第１又は第２保持部の各第１又は第２保持溝が各大径又は小径のディスクを縦向きに保持してターンテーブルに対向し、クランパがディスクに対向したとき、小径のディスクでは、押圧体の突起部は、クランパがターンテーブルに吸着されていない状態で、押しバネが押圧体を押圧することにより第２保持溝の周縁まで突出し、第２保持溝で保持する小径のディスクに当接する。大径のディスクでは、押圧体の突起部は、押しバネが押圧体を押圧することにより第１保持溝で保持する大径のディスクまで突出して、大径ディスクを押圧する。
ターンテーブルがトレイの貫通孔からクランパ側へ移動していくとき、突起部がディスクをターンテーブル側に押圧した状態で、ターンテーブルの嵌合部が、ディスクの中央孔に嵌入してディスクを嵌合部のテーパーに沿って第１又は第２保持溝から持ち上げて自ら保持し、ディスクの中央孔の周縁面がターンテーブルに当接する。
さらにターンテーブルは、押圧体を付勢する押しバネの付勢力に抗してクランパ側へ移動し、突起部がディスクをターンテーブルに押圧した状態で、ターンテーブルの嵌合部がクランパの凹部に接近したとき、ターンテーブルとクランパとが吸着する距離に達し、磁石の吸着力によりクランパがターンテーブルに吸着され、クランパの凹部がターンテーブルの嵌合部に嵌合する。クランパとターンテーブルとの間でディスクの中央孔の周縁面を挟持して、ターンテーブルが移動し、ターンテーブルがディスクの記録再生位置に達する。
ディスクの記録再生終了後、ターンテーブルが待機位置へ移動していくとき、突起部がディスクをターンテーブルに押圧し、ターンテーブル及びクランパがディスクを挟持して移動する。ターンテーブルが磁石の吸着力に抗して移動して、ターンテーブルがクランパから離脱し、ターンテーブルの嵌合部とクランパの凹部との嵌合が外れる。
【００１３】
小径のディスクの場合、嵌合部及び凹部の嵌合が外れ、クランパがターンテーブルに吸着されない状態になったとき、押圧体の突起部は、押しバネが押圧体を押圧することにより第２保持溝の周縁まで突出してディスクをターンテーブルに押圧する状態を維持し、ターンテーブルが移動して、ディスクの周端面が浮いた状態で第２保持溝と対向する。ディスクの周端面が第２保持溝と対向したとき、突起部がディスクに当接する状態になる。
大径のディスクの場合、嵌合部及び凹部の嵌合が外れ、クランパがターンテーブルに吸着されない状態になったとき、突起部がディスクを短円筒状の第１保持部に押圧し、さらにターンテーブルが待機位置へ移動したとき、突起部がディスクを短円筒状の第１保持部に押圧した状態を維持する。
【００１４】
本発明のディスク装置は、前記クランパを遊嵌するクランパホルダを備えており、該クランパホルダは、前記嵌合部と同心に形成された孔と、該孔に嵌着されており、溝が内周面に形成されたリングとを備え、前記クランパは円皿状をなし、該クランパと同心に輪状の突起を外向きに突設した突起輪が、前記リングに遊嵌していることを特徴とする。
【００１５】
このような構成の本発明のディスク装置では、ターンテーブルの嵌合部がクランパの凹部に嵌入し、磁石の吸着力によりターンテーブルとクランパとがディスクを挟持する。クランパはターンテーブルの移動に従い、クランパの突起輪がクランパホルダのリングの溝の幅方向に移動し、クランパホルダがクランパの突起輪を拘束しない位置で、ターンテーブルがディスクの記録再生位置に達する。
ディスクの記録再生終了後、ターンテーブルが待機位置へ移動していくとき、突起部がディスクをターンテーブルに押圧し、ターンテーブル及びクランパがディスクを挟持して、クランパの突起輪がクランパホルダのリングの溝を幅方向に逆移動する。クランパの突起輪がリングの溝のターンテーブル側の内周に当接する位置に来たとき、クランパホルダがクランパを係止してクランパのターンテーブル側への移動を阻止する。
ターンテーブルが磁石の吸着力に抗して移動して、ターンテーブルがクランパから離脱し、ターンテーブルの嵌合部及びクランパの凹部の嵌合が外れる。
【発明の効果】
【００１６】
本発明のディスク装置は、トレイに縦又は平置きで保持されたディスクを押圧する押圧体の複数の突起部がクランパの縁の複数の孔から突き出し、ディスクを芯出しした状態でターンテーブル側に分担して押圧した状態を維持しているので、ターンテーブルの嵌合部がディスクの中央孔に嵌入していくとき、ディスクがターンテーブルの径方向にぶれて偏芯することがなく、ターンテーブルの嵌合部をディスクの中央孔に確実に嵌入させることができるという効果を有する。
さらに本発明のディスク装置は、円皿状のクランパに外向きに突設した突起輪がクランパホルダのリングの内周面に形成した溝に遊嵌しており、ターンテーブルがクランパから離脱するときに前記突起輪が前記溝のターンテーブル側の内周に当接してクランパの移動が阻止されるので、ディスクに荷重が加わらず、クランパからターンテーブルを離脱させることができるという効果を有する。
【発明を実施するための最良の形態】
【００１７】
以下、図面に基づき、本発明によるディスク装置の好適な実施の形態を、ターンテーブルにディスクを縦置きにして、ターンテーブルとの間でディスクをクランプするクランパの例を挙げて説明する。
なお、断面図において一部ハッチングを省略した。
図１は本実施の形態に係る縦型のディスク装置を前方から視た斜視図、図２はクランパ機構の部分側断面図、図３はクランパの正面図、図４はディスク装置のトレイを取り出した状態を前方から視た斜視図である。
本実施の形態に係るディスク装置は、正面視矩形状の長手方向が横向きの筐体１を有し、筐体１の正面の略中央部から一側部側にピックアップ６が移動するための横長の矩形孔１ａが形成されている。筐体１内の略中央部に、例えば直径８ｃｍのディスク１６又は直径１２ｃｍのディスク１８を縦向きに保持して回転させるターンテーブル４が、ディスク１６、１８を当接させる面を鉛直にして、筐体１の正面側に向けて備えられている。
【００１８】
ターンテーブル４に保持された、例えばディスク１６又はディスク１８に情報を記録し又は再生するためのピックアップ６と、ディスク１６又はディスク１８の半径方向にピックアップ６を駆動する駆動機構８とが、ターンテーブル４近傍の筐体１内に収容されている。
ターンテーブル４及びピックアップ６は矩形孔１ａにて露出しており、ターンテーブル４近傍から矩形孔１ａの一短辺端までがピックアップ６の移動域になっている。
【００１９】
ターンテーブル４に対向して、ディスク１６又はディスク１８を縦向きに保持可能な横長の矩形板状のトレイ９が縦向きに配設されている。
横長矩形板状のクランパホルダ１４が、トレイ９の外側に対向して設けられており、筐体１の前部のカバーになっている。クランパホルダ１４は、ターンテーブル４とともにディスク１６又はディスク１８を挟持するクランパ１２を中央部に備えている。
【００２０】
ターンテーブル４と、トレイ９と、トレイ９を介してターンテーブル４に対向するクランパ１２とが、図２で示す縦型のクランパ機構を構成している。
ターンテーブル４は、円柱状の基台４ａを有し、基台４ａの後端にスピンドルモータ（図示せず）の回転軸７が連結されている。基台４ａの中央部に形成された回転軸４ｇに、基台４ａよりも大径の円盤４ｃが同心に形成されている。円盤４ｃの中央部に同心に円錐台状の嵌合部４ｂが形成されている。嵌合部４ｂはディスク１６、１８の中央に穿設された中央孔１６ｃ、１８ｃに嵌合可能になっている。
【００２１】
嵌合部４ｂは円柱台４ｆと円錐台４ｈとを一体化して形成したものであり、円錐台４ｈは大径側を円柱台４ｆと同径にし、小径側をトレイ９側に向けて形成されている。円錐台４ｈの先端の中央には、クランパ１２の位置決め軸１２ｊを嵌合させる円穴状の嵌合穴４ｄが形成されている。
円柱台４ｆの直径はディスク１６及びディスク１８のそれぞれの中央孔１６ｃ、１８ｃの直径と略同寸法であり、円柱台４ｆ及び円錐台４ｈの高さは、それぞれディスク１６、１８の厚さ程度にしてある。円柱台４ｆは、中央孔１６ｃ、１８ｃに嵌入してディスク１６、１８を縦向きに支持するようにしてある。
【００２２】
ターンテーブル４は合成樹脂製であり、円錐台４ｈの小径側に同心に円盤状の磁石４ｅが埋設されている。
【００２３】
トレイ９には、ターンテーブル４と同心の第２保持部１０及び第１保持部１１が形成されている。第２保持部１０の中央部、換言すればトレイ９の中央部には、ターンテーブル４の円盤４ｃの直径よりも少し大径の貫通孔９ｂが同心に半円状に穿設されている。筐体１の矩形孔１ａの周縁に対向する周縁を有する横長矩形状の貫通孔９ｃが、貫通孔９ｂから横方向に連設されている。
貫通孔９ｃを通して、ピックアップ６がトレイ９に保持されたディスク１６又はディスク１８の記録面に対面するようになっており、ターンテーブル４が貫通孔９ｂを前後方向に、ターンテーブル４の待機位置からディスク１６、１８の記録再生位置まで移動可能になっている。
【００２４】
トレイ９の中央部には、ターンテーブル４側に位置するように、直径８ｃｍよりやや大きい縦向きの短円筒状の凹部１０ａからなる第２保持部１０が、第２開口部１０ｂを前側にして形成されている。貫通孔９ｂは凹部１０ａの略中央から凹部１０ａの一側部を切り欠いて穿設されており、凹部１０ａにある貫通孔９ｂの周縁面の前側が、直径８ｃｍよりやや大きいディスク当接面１０ｅになっている。
【００２５】
第２開口部１０ｂの外周に、直径１２ｃｍよりやや大きい縦向きの短円筒状の凹部１１ａからなる第１保持部１１が、第２保持部１０と同心に形成されている。
第２開口部１０ｂの周縁面が、直径１２ｃｍよりやや大きいディスク当接面１１ｅになっている。
凹部１０ａ及び凹部１１ａの奥行きは、それぞれ支持するディスク１６、１８の厚さの３倍程度にしている。
【００２６】
第２保持部１０の凹部１０ａの内周面には、Ｖ字形の溝１０ｃが周設されている。溝１０ｃの最深部には、ディスク１６を縦向きにして保持するために、ディスク１６の厚さと略同寸法の幅のコの字形の第２保持溝１０ｄが周設されている。
【００２７】
第１保持部１１の凹部１１ａの内周面には、Ｖ字形の溝１１ｃが周設されており、溝１１ｃの最深部にはディスク１８を縦向きにして保持するために、ディスク１８の厚さと略同寸法の幅のコの字形の第１保持溝１１ｄが周設されている。
なお、図２中の符号１１ｂは、第１保持部１１の第１開口部を示す。
【００２８】
ターンテーブル４との間でディスク１６又はディスク１８を挟持するクランパ１２は、縦向き円皿状のクランプ部１２ａを有し、クランプ部１２ａの前面の中央部に嵌合柱である円柱状の基軸１２ｂが突設されている。
クランプ部１２ａの後面には、ターンテーブル４の嵌合部４ｂが嵌合可能な末広がり円錐台状の凹部１２ｋが、形成されている。凹部１２ｋの奥行きは、ディスク１６、１８の厚さ程度にしてある。凹部１２ｋの中央部には、ターンテーブル４の位置決めをするための及び回転軸を一致させるための円柱台状の位置決め軸１２ｊが、基軸１２ｂと同心に突設されている。位置決め軸１２ｊの先端は、凹部１２ｋの周縁より少し低くなっており、位置決め軸１２ｊの直径と基軸１２ｂの直径とは略同寸法になっている。
【００２９】
クランプ部１２ａの前面に、基軸１２ｂに嵌合した輪状のヨーク１２ｃが、貼着されている。基軸１２ｂに遊嵌してヨーク１２ｃに当接することが可能な輪状の押圧体１２ｅが、クランプ部１２ａの前面側に備えられている。ヨーク１２ｃは、通常、軟鉄板であるが、磁石４ｅに吸着するものであれば材質は問わない。
ターンテーブル４の移動により、磁石４ｅを埋設した嵌合部４ｂが、凹部１２ｋの周縁からディスク１６、１８の厚さ程度の距離に接近したとき、磁石４ｅとヨーク１２ｃとが吸着するように設定されている。位置決め軸１２ｊがターンテーブル４の嵌合部４ｂの嵌合穴４ｄに嵌合したとき、凹部１２ｋに嵌合部４ｂが嵌合するようになっている。
【００３０】
基軸１２ｂは押しバネ１２ｄに挿通しており、基軸１２ｂの前端部は側面に突出する係止部である鍔状の凸部１２ｆになっている。押しバネ１２ｄの一端は押圧体１２ｅに圧接し、他端が凸部１２ｆに係止されている。押圧体１２ｅはクランパ１２の後側へ、即ちターンテーブル４側へ押しバネ１２ｄで付勢されている。
押圧体１２ｅの周縁の三等配の位置に三個の突起部１２ｇ、１２ｇ、１２ｇが後側に突設されており、各突起部１２ｇがクランプ部１２ａの周縁に穿設された三個の孔１２ｈ、１２ｈ、１２ｈからクランプ部１２ａの後側のターンテーブル４へ向けて突き出ている。
【００３１】
押圧体１２ｅがヨーク１２ｃに当接しているとき、押圧体１２ｅの突起部１２ｇは、第２保持部１０のコの字形の第２保持溝１０ｄで縦向きに保持されるディスク１６の前面を押圧するようにしてある。
【００３２】
クランパ１２はクランパホルダ１４に保持されている。クランパホルダ１４の中央部に孔１４ａが穿設されており、孔１４ａに輪状のリング１５が嵌着されている。リング１５には、コの字形のリング溝１５ａが内向きに形成されている。
クランプ部１２ａの外周と同心に、輪状の突起輪１２ｎが外向きに突設されている。クランプ部１２ａの突起輪１２ｎがリング溝１５ａに遊嵌しており、クランパ１２はリング溝１５ａの幅の範囲でターンテーブル４とともに前後方向に移動可能になっている。
【００３３】
ターンテーブル４のディスクの記録再生位置は、８ｃｍのディスク１６及び１２ｃｍのディスク１８、両方とも同一の位置にある。ターンテーブル４とクランパ１２とがディスク１６又はディスク１８を磁力により挟持して、リング溝１５ａの幅の範囲内を移動して、ディスク１６又はディスク１８の周端面が、第１保持部１１の第１保持溝１１ｄに対向し、クランパ１２がクランパホルダ１４に拘束されない位置になったとき、ターンテーブル４がディスクの記録再生位置に達するようにしてある。
【００３４】
ところで、図４に示すように、筐体１の前面の両側縁には、柱状のガイドレール２、２が縦方向に配設されている。トレイ９の両側の各後端部に外向きに突設された突起部９ａ、９ａが、ガイドレール２、２のガイド孔２ａ、２ａに嵌入して摺動可能になっている。トレイ９の両側の中央部がＬ字状のレバー３、３の先端部３ａ、３ａに回動可能に軸支されており、突起部９ａ、９ａがガイド孔２ａ、２ａの下端部２ｃ、２ｃに当接したとき、レバー３、３がトレイ９を水平に保持するようになっている。レバー３の基部はトレイ９をガイドレール２に沿って移動させる歯車機構５の回動軸（図示せず）に連結している。
トレイ９が水平に保持されているとき、クランパホルダ１４はトレイ９の下側で水平になっている。
【００３５】
制御回路（図示せず）がモータ５ａを駆動することにより歯車機構５の各歯車が回動して、トレイ９がガイドレール２に沿って移動し、トレイ９の突起部９ａが、ガイド孔２ａの上端部２ｂに当接したとき、トレイ９が鉛直になると同時にクランパホルダ１４が水平位置から回動を始めるようになっており、クランパホルダ１４が鉛直になったとき、歯車機構５が停止するようになっている。
【００３６】
次に本実施の形態に係るディスク装置の作用について説明する。
先ず直径８ｃｍのディスク１６のローディング及びアンローディングについて説明する。
図５は本実施の形態に係るディスク装置がディスクを挟持した状態を示す側断面図、図６はディスクの挟持を解除した状態を示す側断面図である。
図１に示すように、先ず、スイッチ（図示せず）をオンにしたとき、ディスク装置の制御回路（図示せず）は、モータ５ａを駆動し、歯車機構５の回動と連動して、クランパホルダ１４が回動して前側に開いていく。クランパホルダ１４が開いて水平になると同時に歯車機構５によりレバー３、３が回動を開始する。レバー３、３が前側へ回動していくとき、トレイ９の突起部９ａ、９ａがガイドレール２、２を下方へ摺動していく。レバー３、３はトレイ９を保持して前側に回動していくとともにトレイ９の前面を上側に向けていき、図４に示すように、トレイ９が水平になったとき、モータ５ａが停止し、スイッチがオフになる。
【００３７】
次に、第２保持部１０のディスク当接面１０ｅにディスク１６を載置して、スイッチをオンにしたとき、制御回路はモータ５ａを駆動し、歯車機構５の回動と連動してレバー３、３が後側へ回動していき、トレイ９の突起部９ａ、９ａがガイドレール２、２を上側に摺動し、トレイ９が縦向きに立ち上がっていく。
【００３８】
突起部９ａ、９ａがガイドトール２、２の上端部２ｂ、２ｂに当接したとき、トレイ９が鉛直になり、ディスク１６の後側の周縁面がＶ字形の溝１０ｃの後側の周面に沿って落下して、ディスク１６の下側の周端が第２保持溝１０ｄに嵌入し、第２保持部１０がディスク１６を縦向きに保持する。
【００３９】
トレイ９が鉛直になると同時に、歯車機構５によりクランパホルダ１４が回動を開始し、クランパ１２がディスク１６に対向していき、クランパホルダ１４が鉛直になると同時に押圧体１２ｅの突起部１２ｇがディスク１６の前面を押圧する。
【００４０】
クランパホルダ１４が鉛直になると同時に、ターンテーブル４が待機していた待機位置からディスクの記録再生位置に移動していき、ターンテーブル４の嵌合部４ｂがディスク１６の中央孔１６ｃに嵌入していく。嵌合部４ｂがディスク１６の中央孔１６ｃに嵌入していくとき、押圧体１２ｅの突起部１２ｇがディスク１６を押圧した状態で、ターンテーブル４がディスク１６を持ち上げてセンタリングしていき、円柱台４ｆがディスク１６の中央孔１６ｃに嵌入すると同時に、円錐台４ｈが中央孔１６ｃから突出し、ターンテーブル４の円盤４ｃの周縁面がディスク１６の中央孔１６ｃの周縁面に当接して、突起部１２ｇがディスク１６をターンテーブル４に押圧する。
【００４１】
さらにターンテーブル４は、押圧体１２ｅを付勢する付勢力に抗してディスク１６の記録再生位置方向へ移動し、突起部１２ｇがディスク１６をターンテーブル４に押圧した状態で、嵌合部４ｂがクランプ部１２ａの凹部１２ｋの周縁にディスク１６の厚さ程度の距離に接近したとき、磁石４ｅとヨーク１２ｃとが吸着する設定距離に達し、磁石４ｅ及びヨーク１２ｃの吸引力により、クランパ１２がターンテーブル４との間でディスク１６を挟持する。
【００４２】
クランパ１２がターンテーブル４との間でディスク１６を挟持するとき、クランパ１２が移動可能範囲、即ちリング溝１５ａの幅の範囲をターンテーブル４側へ移動して、クランパ１２の輪状の突起輪１２ｎが、リング溝１５ａのターンテーブル４側の内周面に当接する。
クランパ１２がターンテーブル４との間でディスク１６を挟持したとき、クランパ１２の凹部１２ｋが嵌合部４ｂの円錐台４ｈに嵌合し、位置決め軸１２ｊが円錐台４ｈの嵌合穴４ｄに嵌合して、ターンテーブル４の回転軸とクランパ１２の回転軸とが一致し、ターンテーブル４とクランパ１２とがディスク１６の中央孔１６ｃの周縁面を挟持して密着する。
【００４３】
ターンテーブル４とクランパ１２とがディスク１６を挟持した状態で、ターンテーブル４の移動に伴い、クランパ１２がリング溝１５ａの幅方向に移動して、ディスク１６の周端面が浮いた状態で第１保持部１１の第１保持溝１１ｄと対向する位置になったとき、ターンテーブル４がディスク１６の記録再生位置に達する。
【００４４】
ターンテーブル４がディスク１６の記録再生位置に達したとき、クランパ１２の輪状の突起輪１２ｎが、クランパホルダ１４のリング溝１５ａの略中央に位置して、クランパ１２がクランパホルダ１４に拘束されない位置で、ターンテーブル４はクランパ１２を保持する。
【００４５】
そして、ターンテーブル４が回転し、ターンテーブル４とクランパ１２とがディスク１６を挟持した状態で、ディスク１６が回転する。次いで、ピックアップ６がホームポジションから駆動機構８によりディスク１６の半径方向へ横向きに移動してディスク１６に情報を記録し又は再生する。
ディスク１６の記録再生終了後、ピックアップ６がホームポジションに戻り、ターンテーブル４の回転が停止し、ターンテーブル４が後側の待機位置に戻っていく。
【００４６】
ターンテーブル４が後側の待機位置へ移動していくとき、突起部１２ｇがディスク１６をターンテーブル４に押圧し、ターンテーブル４及びクランパ１２がディスク１６を挟持した密着状態で移動する。クランパ１２が移動可能範囲であるリング溝１５ａの幅方向に移動して、クランパ１２の突起輪１２ｎがクランパホルダ１４のリング溝１５ａのターンテーブル４側の内周面に当接する。突起輪１２ｎがリング溝１５ａの内周面に当接する位置に来たとき、クランパホルダ１４がクランパ１２を係止してクランパ１２のターンテーブル４側への移動を阻止する。
ターンテーブル４が磁石４ｅ及びヨーク１２ｃの吸着力に抗して後側へ移動して、ターンテーブル４がクランパ１２から離脱し、嵌合部４ｂの円錐台４ｈとクランプ部１２ａの凹部１２ｋとの嵌合及び位置決め軸１２ｊと嵌合穴４ｄとの嵌合が外れる。
【００４７】
押しバネ１２ｄの付勢力によりターンテーブル４及び押圧体１２ｅの突起部１２ｇ、１２ｇ、１２ｇは、ディスク１６を挟持してターンテーブル４の移動とともに後側へ移動し、押圧体１２ｅがクランプ部１２ａのヨーク１２ｃに当接する。
【００４８】
押圧体１２ｅがヨーク１２ｃに当接したとき、押圧体１２ｅの突起部１２ｇがディスク１６をターンテーブル４に押圧する状態から当接する状態になり、ターンテーブル４の円柱台４ｆがディスク１６を保持する。さらにターンテーブル４が後側へ移動していくとき、ディスク１６の周縁面が凹部１０ａのディスク当接面１０ｅに当接して、円柱台４ｆと中央孔１６ｃとの嵌合が外れ、ディスク１６が凹部１０ａのＶ字形の溝１０ｃの後側の周面に沿って落下し、コの字形の第２保持溝１０ｄに嵌り、第２保持部１０はディスク１６を縦向きに保持する。
【００４９】
ディスク１６をアンローディングする場合、スイッチをオンにしたとき、ディスク装置の制御回路は、モータ５ａを駆動し、歯車機構５の回動と連動して、クランパホルダ１４が回動して前側に開いていく。クランパホルダ１４が開いて水平になると同時に歯車機構５によりレバー３、３が回動を開始する。レバー３、３が前側へ回動していくと、トレイ９の突起部９ａ、９ａがガイドレール２、２を下方へ摺動していく。レバー３、３はトレイ９を保持して前側に回動していくとともにトレイ９の前面を上側に向けていき、図４に示すように、トレイ９が水平になったとき、モータ５ａが停止し、スイッチがオフになる。
最後に、トレイ９の第２保持部１０からディスク１６を取り出す。
【００５０】
次に直径１２ｃｍのディスク１８のローディング及びアンローディングについて説明する。
図７は本実施の形態に係るディスク装置がディスクを挟持した状態を示す側断面図、図８はディスクの挟持を解除した状態を示す側断面図である。
図４に示すように、先ず、トレイ９が水平になっている状態で、第１保持部１１のディスク当接面１１ｅにディスク１８を載置して、スイッチをオンにしたとき、制御回路はモータ５ａを駆動し、歯車機構５の回動と連動してレバー３、３が後側へ回動していき、トレイ９の突起部９ａ、９ａがガイドレール２、２を上方に摺動し、トレイ９が立ち上がっていく。
【００５１】
突起部９ａ、９ａがガイド孔２ａ、２ａの上端部２ｂ、２ｂにそれぞれ当接したとき、トレイ９が鉛直になり、ディスク１８の後側の周縁面がＶ字形の溝１１ｃの後側の周面に沿って落下して、ディスクの下側の周端が第１保持溝１１ｄに嵌入し、第１保持部１１がディスク１８を縦向きに保持する。
【００５２】
トレイ９が鉛直になると同時に、歯車機構５によりクランパホルダ１４が回動を開始し、クランパ１２がディスク１８に対向して、押圧体１２ｅの突起部１２ｇがディスク１８を押圧する。突起部１２ｇがディスク１８を押圧するとき、ディスク１８がＶ字形の溝１１ｃの後側の周面を少しずり上がって傾き、ディスク１８の上側の周端が第１保持部１１のディスク当接面１１ｅに当接する。
クランパホルダ１４が鉛直になったとき、押圧体１２ｅの突起部１２ｇが、押しバネ１２ｄの付勢力によりディスク１８に凹部１１ａのディスク当接面１１ｅに押しつけて保持する。
【００５３】
次いで、クランパホルダ１４が鉛直になると同時に、ターンテーブル４が待機位置からディスクの記録再生位置に移動していく。ターンテーブル４がトレイ９の貫通孔９ｂからディスク１８の記録再生位置に移動していくとき、突起部１２ｇがディスク１８をディスク当接面１１ｅに押圧した状態で、ターンテーブル４の嵌合部４ｂがディスク１８の中央孔１８ｃに嵌入し、ディスク１８を持ち上げる。嵌合部４ｂがディスク１８を持ち上げたとき、ディスク１８の下側の周端がコの字形の第１保持溝１１ｄから抜け出て、ディスク１８の後側の周縁面が、第１保持部１１のＶ字形の溝１１ｃの後側の周面に沿って上側へ摺動して第１保持部１１のディスク当接面１１ｅに均等に当接する。
突起部１２ｇがディスク１８をディスク当接面１１ｅに押圧した状態で、ターンテーブル４が前側へ移動していくとき、円柱台４ｆがディスク１８の中央孔１８ｃに嵌入して、円錐台４ｈが中央孔１８ｃから突出する。
【００５４】
ターンテーブル４が、押圧体１２ｅを付勢する付勢力に抗してディスク１８の記録再生位置方向へ移動していくとき、突起部１２ｇがディスク１８をターンテーブル４に押圧する。ターンテーブル４の嵌合部４ｂがクランプ部１２ａの凹部１２ｋの周縁からディスク１８の厚さ程度の距離に接近したとき、磁石４ｅとヨーク１２ｃとが吸着する設定距離に達し、磁石４ｅ及びヨーク１２ｃの吸引力により、クランパ１２がターンテーブル４との間でディスク１８を挟持する。
【００５５】
クランパ１２がターンテーブル４との間でディスク１８を挟持するとき、クランパ１２が移動可能範囲、即ちリング溝１５ａの幅の範囲をターンテーブル４側へ移動して、クランパ１２の輪状の突起輪１２ｎが、リング溝１５ａのターンテーブル４側の内周面に当接する。
クランパ１２がターンテーブル４との間でディスク１８を挟持したとき、クランパ１２の凹部１２ｋが嵌合部４ｂの円錐台４ｈに嵌合し、位置決め軸１２ｊが円錐台４ｈの嵌合穴４ｄに嵌合して、ターンテーブル４の回転軸とクランパ１２の回転軸とが一致し、ターンテーブル４とクランパ１２とがディスク１８の中央孔１８ｃの周縁面を挟持して密着する。
【００５６】
ターンテーブル４とクランパ１２とがディスク１８を挟持して移動し、クランパ１２がリング溝１５ａの幅方向に移動して、ディスク１８の周端面が浮いた状態で第１保持部１１の第１保持溝１１ｄと対向する位置になったとき、ターンテーブル４がディスク１８の記録再生位置に達する。
【００５７】
ターンテーブル４がディスク１８の記録再生位置に達したとき、クランパ１２の輪状の突起輪１２ｎが、クランパホルダ１４のリング溝１５ａの略中央に位置して、クランパ１２がクランパホルダ１４に拘束されない位置で、ターンテーブル４はクランパ１２を保持する。
【００５８】
そして、ターンテーブル４が回転し、ターンテーブル４とクランパ１２とがディスク１８を挟持した状態で、ディスク１８が回転する。次いで、ピックアップ６がホームポジションから駆動機構８によりディスク１８の半径方向へ横向きに移動してディスク１８に情報を記録し又は再生する。
ディスク１８の記録再生終了後、ピックアップ６がホームポジションに戻り、ターンテーブル４の回転が停止し、ターンテーブル４が後側の待機位置に戻っていく。
【００５９】
ターンテーブル４が後側へ移動していくとき、クランパ１２の突起輪１２ｎがクランパホルダ１４のリング溝１５ａのターンテーブル４側の内周面に当接し、クランパホルダ１４がクランパ１２を係止してクランパ１２のターンテーブル４側への移動を阻止する。
ターンテーブル４が磁石４ｅ及びヨーク１２ｃの吸着力に抗して後側へ移動して、ターンテーブル４がクランパ１２から離脱し、嵌合部４ｂの円錐台４ｈとクランプ部１２ａの凹部１２ｋとの嵌合及び嵌合穴４ｄと位置決め軸１２ｊとの嵌合が外れ、ディスク１８が凹部１１ａのディスク当接面１１ｅに当接する。
【００６０】
さらにターンテーブル４が後側へ移動したとき、突起部１２ｇがディスク１８をディスク当接面１１ｅに押圧した状態で、ディスク１８の中央孔１８ｃと円柱台４ｆとの嵌合が外れ、押圧体１２ｅは押しバネ１２ｄの付勢力により押圧状態を維持する。
最後に、ターンテーブル４が待機位置に戻って待機状態になる。
【００６１】
ディスク１８をアンローディングする場合、スイッチをオンにしたとき、ディスク装置の制御回路はモータ５ａを駆動し、歯車機構５の回動と連動して、クランパホルダ１４が回動して前側に開いていく。クランパホルダ１４が開いていくとき、押圧体１２ｅの突起部１２ｇはディスク１８を押圧した状態を維持して、押しバネ１２ｄが押圧体１２ｅを押圧した状態で延びていき、押圧体１２ｅがヨーク１２ｃに当接する。
押圧体１２ｅがヨーク１２ｃに当接したとき、押圧体１２ｅの突起部１２ｇがディスク１８から離れ、ディスク１８が凹部１１ａのＶ字形の溝１１ｃに沿って落下して、コの字形の第１保持溝１１ｄに嵌り、第１保持部１１はディスク１８を縦向きに保持する。
【００６２】
クランパホルダ１４が開いて水平になると同時に歯車機構５によりレバー３が回動を開始する。レバー３、３が前側へ回動していくと、トレイ９の突起部９ａ、９ａがガイドレール２、２を下方へ摺動していく。レバー３はトレイ９を保持して前側に回動していくとともにトレイ９の前面を上側に向けていき、図４に示すように、トレイ９が水平になったとき、モータ５ａが停止し、スイッチがオフになる。
トレイ９からディスク１８を取り出し、スイッチをオンにしたとき、トレイ９が回動し鉛直になると同時にクランパホルダ１４が回動を開始して閉じた状態になり、スイッチがオフになる。
【００６３】
このような構成の本実施の形態に係るディスク装置では、押圧体１２ｅがディスク１６又はディスク１８を押圧した状態でディスク１６又はディスク１８がターンテーブル４の移動方向にぶれず、ターンテーブル４の嵌合部４ｂをディスク１６又はディスク１８のそれぞれの中央孔１６ｃ、１８ｃに嵌入させて確実にセンタリングすることができる。また、クランパホルダ１４のリング溝１５ａがクランパ１２の突起輪１２ｎを係止することにより、クランパ１２の移動を阻止して、押圧体１２ｅの突起部１２ｇがディスク１６又はディスク１８をクランパ１２から引き離す方向に押圧しているので、ディスク１６又はディスク１８の周縁面に荷重をかけずにクランパ１２からターンテーブル４を離脱させることができる。さらに、ディスク１６のアンローディング時に、ターンテーブル４がディスク１６を保持した状態で、押圧体１２ｅの突起部１２ｇがディスク１６を押圧し、ディスク１６の周端面が浮いた状態で第２保持溝１０ｄと対向する位置になっているので、ターンテーブル４が待機位置に戻ったとき、第２保持部１０がディスク１６を確実に保持することができる。またディスク１６よりも大径のディスク１８の場合、ディスク１８のアンローディング時に、押圧体１２ｅの突起部１２ｇがディスク１８を第１保持部１１のディスク当接面１１ｅに押圧した状態を維持しているので、クランパ１２が解除状態になったとき、第１保持部１１がディスク１８を確実に保持することができる。
【００６４】
なお、本実施の形態では、ターンテーブル４に磁石４ｅを配設し、クランパ１２にヨーク１２ｃを配設した例を挙げたが、これに限らず、ターンテーブル４にヨークを配設し、クランパ１２に磁石を配設するようにしてもよい。またトレイ９がディスク１６又はディスク１８を水平から縦向きに移送する例を挙げたが、ターンテーブル４に対して、対向する縦向きのトレイを縦向き姿勢で出し入れするようにしてもよい。この場合、クランパがターンテーブルとともにディスクの記録再生位置に対向して移動するようにすればよい。
さらに本実施の形態に係るクランパ１２を備えるディスク装置は、ターンテーブルにディスクを縦置き又は平置きにするいずれのタイプにも適用することができる。
【図面の簡単な説明】
【００６５】
【図１】本実施の形態に係る縦型のディスク装置を前方から視た斜視図である。
【図２】クランパ機構の部分側断面図である。
【図３】クランパの正面図である。
【図４】ディスク装置のトレイを取り出した状態を前方から視た斜視図である。
【図５】本実施の形態に係るディスク装置がディスクを挟持した状態を示す側断面図である。
【図６】ディスクの挟持を解除した状態を示す側断面図である。
【図７】本実施の形態に係るディスク装置がディスクを挟持した状態を示す側断面図である。
【図８】ディスクの挟持を解除した状態を示す側断面図である。
【符号の説明】
【００６６】
４  ターンテーブル
４ｂ  嵌合部
４ｅ  磁石
９  トレイ
９ｂ  貫通孔
１０  第２保持部
１０ｂ  第２開口部
１０ｄ  第２保持溝
１１ｄ  第１保持溝
１１  第１保持部
１１ｂ  第１開口部
１２  クランパ
１２ｂ  基軸（嵌合柱）
１２ｄ  押しバネ
１２ｅ  押圧体
１２ｆ  凸部（係止部）
１２ｇ  突起部
１２ｋ  凹部
１２ｎ  突起輪
１４  クランパホルダ
１４ａ  孔
１５  リング
１５ａ  リング溝
１６、１８  ディスク
１６ｃ、１８ｃ  中央孔
【図１】
0004437147.tif 000002
【図２】
0004437147.tif 000003
【図３】
0004437147.tif 000004
【図４】
0004437147.tif 000005
【図５】
0004437147.tif 000006
【図６】
0004437147.tif 000007
【図７】
0004437147.tif 000008
【図８】
0004437147.tif 000009